(57)【要約】      （修正有）【課題】特に、第７頚椎の前面に存在する星状神経節ブロックの医療的施術又は手技をするのに好適な、片手で操作可能な注射器、注射器用補助具及び注射器セットを提供する。【解決手段】注射シリンダ２に嵌着される半円筒状部材の両側に中指と人差し指を差込むリング体を取着し、該半円筒状部材の端部にシリンダ２の翼部３に係止する係止片を設けた指固定具７を着脱自在にシリンダ２後部に嵌着すると共に、ピストン５の軸端部と円盤状の端面間に、円盤状の端面より小径の小リングと該小リングと角度を有して連結された親指が差し込み可能な大リングを有する押し込み部材８を着脱自在に取着し、指固定具７のリング体に中指と人差し指を差し込み、押し込み部材８に差し込んだ親指で円盤状の端面を押してシリンダ２を移動させ、親指で大リングを後方へ引いてピストン５を後方に移動させることを特徴とする。【選択図】図２
0003149239.tif 000002
【実用新案登録請求の範囲】
【請求項１】
シリンダ、該シリンダの後端に設けられた翼部、該シリンダの前端に設けられた針ヘッド、該シリンダ内部に収容されたピストン及び該ピストンの後端に設けられた円盤状の端面からなる注射器の、該シリンダに嵌着される半円筒状部材の両側に中指と示指を差込む２つのリング体を取着し、該半円筒状部材の端部にシリンダの翼部に係止する係止片を設けた指固定具を着脱自在にシリンダ後部に嵌着すると共に、該ピストンの軸端部と軸端に設けられた円盤状の端面間に、円盤状の端面より小径の小リングと該小リングと角度をなして連結された、親指が差し込み可能な大リングを有する押し込み部材を着脱自在に取着し、指固定具の２つのリング体に中指と示指を差し込み、押し込み部材に差し込んだ親指で円盤状の端面を押してシリンダを移動させ、親指で大リングを後方へ引いてピストンを後方に移動させるよう構成したことを特徴とする片手で操作可能な注射器。
【請求項２】
シリンダ、該シリンダの後端に設けられた翼部、該シリンダの前端に設けられた針ヘッド及び該シリンダ内部に収容されたピストン及び該ピストンの後端に設けられた円盤状の端面からなる注射器を片手で操作可能な注射器とするための注射器用補助具であって、シリンダに嵌着される半円筒状部材の両側に中指と示指を差込む２つのリング体を取着し、該半円筒状部材の端部にシリンダの翼部に係止する係止片を設けた指固定具と、該ピストンの軸端部と円盤状の端面間に着脱自在に嵌着され、かつ円盤状の端面より小径の小リングと該小リングと角度をなして連結された親指が差し込み可能な大リングを有する押し込み部材からなり、指固定具の２つのリング体に中指と示指を差し込み、押し込み部材に差し込んだ親指で円盤状の端面を押してシリンダを前方に移動させ、親指で大リングを後方へ引いてピストンを後方に移動させるよう構成したことを特徴とする片手で操作可能な注射器用補助具。
【請求項３】
シリンダ、該シリンダの後端に設けられた翼部、該シリンダの前端に設けられた針ヘッド及び該シリンダ内部に収容されたピストン及び該ピストンの後端に設けられた円盤状の端面からなる注射器と、該シリンダに嵌着される半円筒状部材の両側に中指と示指を差込む２つのリング体を取着し、該半円筒状部材の端部にシリンダの翼部に係止する係止片を設けた指固定具及び該ピストンの軸端部と円盤状の端面間に着脱自在に嵌着され、かつ円盤状の端面より小径の小リングと該小リングと角度をなして連結された親指が差し込み可能な大リングを有する押し込み部材からなる片手で操作可能な注射器セット。
【請求項４】
該指固定具及び押し込み部材がステンレス材料からなる請求項１乃至３記載の片手で操作可能な注射器、注射器用補助具及び注射器セット。
【考案の詳細な説明】
【技術分野】
【０００１】本考案は、片手で操作可能な注射器、注射器用補助具及び注射器セット、特に、第７頚椎の前面に存在する星状神経節ブロックの医療的施術又は手技をするのに好適な、片手で操作可能な注射器、注射器用補助具及び注射器セットに関するものである。
【背景技術】
【０００２】従来より、脳卒中後の肩手症候群、頭痛、頚腕症候群、首・肩こり、むちうち損傷、肩関節周囲炎、肩峰下石灰沈着症、上腕骨外側上果炎、肘関節痛、腱鞘炎、慢性関節リウマチ、首・肩上肢部の筋肉痛、レイノー病、自律神経失調症等の症状に対する治療として、第７頚椎の前面に存在する星状神経節ブロックの施術又は手技が良好であることが知られている。【０００３】これらの施術又は手技として、前記星状神経節ブロックに対する注射法が一般であったが、この星状神経節ブロック周辺には、内頚動脈、椎骨動脈、反回神経、腕神経叢、肺尖部、脊髄神経など複雑な解剖学的交差点を形成しているため、注射法による場合、針先がそれぞれの臓器に誤って刺入された場合、発声困難、上腕神経麻痺、血腫全身痙攣、呼吸停止、気胸、ショックなどを生ずるため細心の注意を払わないと患者の身体に関する重大事件にも発展すること等、危険性を伴っていた。星状神経節ブロックの合併症は反回神経麻痺などの小規模なものから、血管内注入による全身麻痺や硬膜外ブロックなど重大なものまであり、更には遅発性の重篤な頚部縦隔血腫も１０万例に１〜２件とまれではあるが報告されている。手技上の過ちをいかに少なくするかが重要である。【０００４】注射法で針を体内の所定位置に正確に刺して薬剤を注入して神経の伝導をブロックするには、例えば星状神経節ブロックでは、術者が患者の頭側に立ち、両上肢で患者の頭頚部を抱えるような姿勢で、左手にて内頸動脈などの軟部組織を外側に圧排する操作を行った後、注射器を左手で保持しなおし、右手で血液の逆流のないことを確認して注射する。
しかしこのような従来の手技は、針先の固定が不安定となり、合併症は減らしようがないのが実態である。両手作業では注射器の微妙な刺入角度の調整と操作中の患者の反応、特に顔の表情が十分に観察できないため、注射器の片手使用の利便性が非常に重視されている。従来の注射器を片手で使用しようとすると図１に示すように、示指、中指をシリンダ２の翼部３に掛け、親指でピストン５を押し込み注射を完了する。注射完了後は、示指、中指でピストン５の後端面を押さえ、親指でシリンダ後端に設けられた翼部３を押し、ピストンをシリンダ後方に引き込む。【０００５】  しかしながら、翼部３の両側は外側へと張り出し、中央は内側に収縮しているため、指で押す時、両側の翼部３を正確に押さなければならない。そのため時にはシリンダ２を回転し、角度を変える必要も生じる。注射器を片手で操作する場合、シリンダ翼部３の方向性に制限があるため非常に使用しづらいという問題があった。注射時に両手を使用すれば上記問題点は解決するが両手が塞がれているときに、患者の予期せぬ動きによって、注射針で患者を傷つける危険がある。特に星状神経節ブロックに対する注射法では、操作中に患者の反応を十分に観察しながら注射針の微妙な刺入角度の調節を行うため、両手がふさがれることは極めて危険であった。【０００６】上記の問題点を解決するため、片手だけで操作可能な種々の注射器や、既成の注射器に補助具を取り付けて片手で操作する注射器が提案されている。例えば特表２００４−５１６９０９には、２つの主要部を備えており、第１要部すなわちシリンダは一端で座面を形成し、第２要部すなわち軸棒はブッシュ要素を備え、上記シリンダに挿入される。この注射器は、片手だけで用いることができ、手の指の位置を変更することによって、吸引および排出の両方の注射行為を行うことができる（特許文献１参照）。
【特許文献１】  特表２００４−５１６９０９号公報
【０００７】上記提案の注射器は、片手で使用可能な注射器として優れた構造であるが、構造が複雑なため使用時に故障が生ずる恐れがある。また特定の形状に成型された２つの主要部を組合わせて使用するため、シリンダの容量ごとに大きさの異なる多数の注射器を用意する必要があり、価格アップが避けられない。また図１に示す既存の注射器には適用できないという問題があった。
本考案は、
【考案の開示】
【考案が解決しようとする課題】したがって、本考案の目的は、従来の片手で使用可能な注射器の問題点を解決し、注射部位の軟部組織（特に総頚動脈）を左手で圧排操作をしながら安全にブロックすることのできる、構造が簡単で安価な、片手で操作可能な注射器を提供することである。
更に本考案の目的は、既存の注射器に適用して、片手で操作可能にするための注射器用補助具を提供することである。
本考案の目的は、星状神経節ブロックの医療的施術又は手技をするのに好適な、片手で操作可能な注射器、注射器用補助具および注射器セットを提供することである。
【課題を解決するための手段】すなわち、本考案の片手で操作可能な注射器は、シリンダ、該シリンダの後端に設けられた翼部、該シリンダの前端に設けられた針ヘッド、該シリンダ内部に収容されたピストン及び該ピストンの後端に設けられた円盤状の端面からなる注射器の、該シリンダに嵌着される半円筒状部材の両側に中指と示指を差込む２つのリング体を取着し、該半円筒状部材の端部にシリンダの翼部に係止する係止片を設けた指固定具を着脱自在にシリンダ後部に嵌着すると共に、該ピストンの軸端部と軸端に設けられた円盤状の端面間に、円盤状の端面より小径の小リングと該小リングと角度をなして連結された、親指が差し込み可能な大リングを有する押し込み部材を着脱自在に取着し、指固定具の２つのリング体に中指と示指を差し込み、押し込み部材に差し込んだ親指で円盤状の端面を押してシリンダを移動させ、親指で大リングを後方へ引いてピストンを後方に移動させるよう構成したことを特徴とする片手で操作可能な注射器である。【０００８】更に、本考案の片手で操作可能な注射器用補助具は、シリンダ、該シリンダの後端に設けられた翼部、該シリンダの前端に設けられた針ヘッド及び該シリンダ内部に収容されたピストン及び該ピストンの後端に設けられた円盤状の端面からなる注射器を片手で操作可能な注射器とするための注射器用補助具であって、シリンダに嵌着される半円筒状部材の両側に中指と示指を差込む２つのリング体を取着し、該半円筒状部材の端部にシリンダの翼部に係止する係止片を設けた指固定具と、該ピストンの軸端部と円盤状の端面間に着脱自在に嵌着され、かつ円盤状の端面より小径の小リングと該小リングと角度をなして連結された親指が差し込み可能な大リングを有する押し込み部材からなり、指固定具の２つのリング体に中指と示指を差し込み、押し込み部材に差し込んだ親指で円盤状の端面を押してシリンダを前方に移動させ、親指で大リングを後方へ引いてピストンを後方に移動させるよう構成したことを特徴とする片手で操作可能な注射器用補助具である。
である。【０００９】本考案の注射器セットは、シリンダ、該シリンダの後端に設けられた翼部、該シリンダの前端に設けられた針ヘッド及び該シリンダ内部に収容されたピストン及び該ピストンの後端に設けられた円盤状の端面からなる注射器と、該シリンダに嵌着される半円筒状部材の両側に中指と示指を差込む２つのリング体を取着し、該半円筒状部材の端部にシリンダの翼部に係止する係止片を設けた指固定具及び該ピストンの軸端部と円盤状の端面間に着脱自在に嵌着され、かつ円盤状の端面より小径の小リングと該小リングと角度をなして連結された親指が差し込み可能な大リングを有する押し込み部材からなる片手で操作可能な注射器セットである。【００１０】該指固定具及び押し込み部材がステンレス材料からなる片手で操作可能な注射器、注射器用補助具及び注射器セットである。
【考案の効果】
【００１１】本考案の注射器は、堅牢で弾力を有する特殊金属板（通常ステンレスが使用される）でＵ字溝状に曲げた構造の指固定具を注射器のシリンダにしっかりとはめ込み固定する。この状態でＵ字溝の両外側に水平に取り付けられた２個のリング体に右手示指と中指を入れる。またピストンの根元に金属製のひょうたん型の大小のリングからなる押し込み部材をはめ込み、大リングに右親指を入れることでピストンを移動させて注射器を吸引する。本考案の注射器は、既成の注射器に簡単に取り付けることで右手だけで注射器を確実に保持でき、針先の不安定さを解消して血液の逆流確認と薬液の安全な注入が可能となる。左右の頚動脈ブロックの際にもそれぞれの患者のブロックする側に立つことで、注射器での施術が困難であった星状神経節ブロックの医療的施術又は手技を安全、かつ確実に行うことが可能となった。
本考案の注射器用補助具を既成の注射器のシリンダとピストンに取り付けると両手で使用する注射器を簡単に片手で使用できる注射器として使用することができる。また、注射器用補助具は既成の注射器に簡単に取り付けることができ、滅菌すれば再使用も可能である。
【考案を実施するための最良の形態】
【００１２】
【００１３】次に本考案の片手で操作可能な注射器の一実施例を図面にて説明する。図２は本考案の片手で操作可能な注射器の斜視図である。シリンダ２、該シリンダの後端に設けられた翼部３、該シリンダの前端に設けられた針ヘッド４及び該シリンダ内部に収容されたピストン５及び該ピストンの後端に設けられた円盤状の端面６からなる注射器１のシリンダ２の端に指固定具７及びピストン５の端部と円盤状の端面６との間に押し込み部材８が夫々着脱自在に取り付けられている。【００１４】指固定具７は図３に示すようにシリンダ２に嵌着される半円筒状の部材９と、その両側に設けられた中指と人差し指を引っ掛けるリング体１０、１１及び半円筒状部材９の端部にシリンダの翼部３に係止する係止片１２が設けられている。半円筒状部材９はシリンダ２に着脱自在に嵌着される。そのためシリンダに嵌着する開口部は弾力性を有していることが好ました。また指固定具７は一枚の金属板から裁断して折り曲げ加工により製作すると外観を良くし、しかも強度を向上させることができて好ましい。【００１５】図４のように裁断された裁断片の長方体９’を７矢印方向に折り曲げて、円筒状部９を成形し、２つの細片１０’、１１’はリング状に折り曲げられ、細片の端は円筒状部９に溶接されている。また円筒状部９の開口端部は強度及び弾性を上げるために端を折り曲げて二重構造にしている。
長方体９’の中心に突出する少片１２’は、折り曲げられてシリンダの翼部３に係止する係止片１２となる。かかる指固定具は通常厚さ１〜１．６ｍｍのステンレス等の耐食性の金属板が使用される。鉄板等を使用する場合はアルコール等の消毒液で錆びないよう成形後に金、銀などのめっきを施す必要がある。【００１６】図５は注射器１のシリンダ２の端に指固定具７及びピストン５の端部とピストン５の端に設けられた円盤状の端面６との間着脱自在に取り付けられる押し込み部材８であり、円盤状の端面６より小径の小リング１３と該小リングと角度を有して連結された親指が差し込み可能な大リング１４を有する。かかる部材８は通常直径２〜３ｍｍのステンレスの丸棒を曲げ加工したものが使用され、両端は溶接で一体化されている。鉄棒を使用する場合は、消毒液で錆びないように金、銀などのめっきを施す必要がある。小リング１３と大リング１４とはシリンダの押し込みが安定に行われるように４５〜６０度の角度を設けることが好ましい。通常６０度前後の角度が設けられている。【００１７】本考案の注射器は予め、シリンダ２の端に指固定具７及びピストン５の端部とピストン５の端に設けられた円盤状の端面６との間着脱自在に取り付けられる押し込み部材８が取り付けられており、使用時にシリンダ内に薬液を吸引して使用する注射器のかたちであっても、或いは使用時に既成の注射器に指固定具７及び押し込み部材８からなる注射器用補助具を取り付けて使用するタイプでもよい。また商品形態として注射器１、指固定具７及び押し込み部材８がセットとしては販売されるケースがある。その場合注射器のシリンダ内に予め薬剤を収容しておけば緊急時に直ちに使用が可能である。【００１８】  本考案の注射器を使用するときには、左手の中指と示指を指固定具７の二つのリング体に掛け、親指を押し込み部材８の大リングに掛け、親指でピストン５の端に設けられた円盤状の端面６を押す。こうしてピストン５を押して注射を行う。注射する際は、例えば左星状神経節ブロックでは、術者が患者の左の頭側に立ち、両上肢で患者の頭頚部を抱えるような姿勢で、左の示指、中指による周囲組織の圧排、横突起の触知をする。その際右手に持つ注射器の傾きが頭側から見れることにより、注射時に微妙な刺入角度の調整と操作中の患者の反応、特に顔の表情を十分に観察しながら注射器を使用する。
注射の完了時には、中指と示指を指固定具７に掛けて、シリンダを固定し、次に親指を押し込み部材８の大リングに掛けて後方に引く。こうして、ピストン５はシリンダに相対して移動し、後方へと引くことができる。【００２４】以上のように本考案の注射器は、従来両手で注射しなければならなかった第７頚椎の前面に存在する星状神経節ブロックの医療的施術又は手技を、左の示指、中指による周囲組織の圧排、横突起の触知しながら、右手に持つ注射器の傾きを頭側から見ることにより、血液の逆流確認と薬液の安全な注入が可能となると共に、微妙な刺入角度の調整と操作中の患者の反応、特に顔の表情が十分に観察できるため安全に施術又は手技をすることができるという効果を奏する。
【図面の簡単な説明】
【図１】既成の注射器の斜視図である。
【図２】本考案の片手で操作可能な注射器の斜視図である。
【図３】指固定具の斜視図である。
【図４】指固定具用の金属板の態を示す平面図である。
【図５】押し込み部材の斜視図である。
【符号の説明】
【００２６】１・・・注射器
２・・・シリンダ
３・・・翼部
４・・・針ヘッド
５・・・ピストン
６・・・円盤状の端面
７・・・指固定具
８・・・押し込み部材
９・・・半円筒状の部材
１０、１１・・リング体
１２・・係止片
１３・・少リング
１４・・大リング
【図１】
0003149239.tif 000003
【図２】
0003149239.tif 000004
【図３】
0003149239.tif 000005
【図４】
0003149239.tif 000006
【図５】
0003149239.tif 000007